(57)【要約】      （修正有）【課題】臀部の沈みこみを抑えて就寝姿勢を改善し、睡眠中の寝返り易さや腰の負担を軽減させるベッド用マットを提供する。【解決手段】ベッドのマット載置面上に敷設されるマット本体と、このマット本体を被覆するとマットカバーとを具える。マット本体は、マット長さ方向中央側に配される密度５０±５ｋｇ／ｍ３の高密度スポンジ材からなる高密度クッション部と、そのマット長さ方向両側に配される密度３０±５ｋｇ／ｍ３の低密度スポンジ材からなる低密度クッション部とから形成される。高密度クッション部は、その下面でのマット長さ方向の長さを、上面でのマット長さ方向の長さよりも大とした断面略三角形状又は断面略台形状をなす。【選択図】図１
0003169589.tif 000002
【実用新案登録請求の範囲】
【請求項１】
ベッドのマット載置面上に敷設されるマット本体と、このマット本体を被覆するとマットカバーとを具え、
前記マット本体は、就寝者の身長方向となるマット長さ方向の中央側に配されかつ密度Ａが５０±５ｋｇ／ｍ３の高密度のスポンジ材からなる高密度クッション部と、この高密度クッション部のマット長さ方向両側に配されかつ密度Ｂが３０±５ｋｇ／ｍ３の低密度のスポンジ材からなる低密度クッション部とから形成されるとともに、
前記高密度クッション部は、その下面でのマット長さ方向の長さＬａを、上面でのマット長さ方向の長さＬｂよりも大とした断面略三角形状又は断面略台形状をなすことを特徴とするベッド用マット。
【請求項２】
前記高密度クッション部は、前記下面での長さＬａが６００ｍｍ±１００ｍｍであることを特徴とする請求項１記載のベッド用マット。
【請求項３】
前記密度Ａと密度Ｂとの差（Ａ−Ｂ）は、２０±５ｋｇ／ｍ３の範囲であることを特徴とする請求項１又は２記載のベッド用マット。
【請求項４】
前記高密度クッション部は、前記上面での長さＬｂが０ｍｍの断面略三角形状をなすことを特徴とする請求項１〜３の何れかに記載のベッド用マット。
【請求項５】
前記マット本体は、前記就寝者の上半身側を受ける前のマット部と、前記就寝者の下半身側を受ける後もマット部とに２分割されるとともに、その分割面は前記高密度クッション部の長さ方向中心線上を通ることを特徴とする請求項１〜４の何れかに記載のベッド用マット。
【考案の詳細な説明】
【技術分野】
【０００１】
本考案は、睡眠中の寝返り易さや腰の負担を軽減するベッド用マットに関する。
【背景技術】
【０００２】
ウレタンフォームなどのスポンジ製のマットは、軽量かつコストが安いためベッド用マットとして広く使用されている。
【０００３】
しかし、従来のスポンジ製のマットＭは、その全領域に亘ってほぼ一定な弾性を有して形成されている。従って、例えば図７に示すように、使用者が横たわったとき、最も重量が大きい臀部ａを受ける中央部分ｂでは、弾性が不足して臀部ａでの沈みこみが大きくなり、例えばＷ字状の不自然な就寝姿勢となってしまう。そのため、睡眠中の寝返りがし難くかつ腰への負担が大きくなるなど、寝心地が悪く睡眠によって疲れを充分に解消させることが難しい。
【０００４】
なお下記の特許文献１には、スポンジ材からなるマット本体に、その厚さ方向にのびるの多数個の孔部を設けるとともに、各前記孔部内に荷重を支承するコイルスプリングを配することが提案されている。この場合、配置位置に応じてコイルスプリングのバネ強さを調整しうるため、臀部ａでの沈みこみを抑えることは可能である。しかしこの提案のマットでは、構造が複雑となり、かつコストや重量の増加を招くという問題がある。
【先行技術文献】
【特許文献】
【０００５】
【特許文献１】特開２００４−４９４１４号公報
【考案の概要】
【考案が解決しようとする課題】
【０００６】
そこで本考案は、マット本体を、マット長さ方向中央側の高密度クッション部と、そのマット長さ方向両側の低密度クッション部とから形成することを基本として、構造簡易にかつコストや重量の増加を招くことなく、弾性不足による臀部の沈みこみを低減でき、就寝姿勢を改善して睡眠中の寝返り易さや腰の負担を軽減しうるベッド用マットを提供することを目的としている。
【課題を解決するための手段】
【０００７】
上記課題を解決するために、本願請求項１の考案は、ベッドのマット載置面上に敷設されるマット本体と、このマット本体を被覆するとマットカバーとを具え、
前記マット本体は、就寝者の身長方向となるマット長さ方向の中央側に配されかつ密度Ａが５０±５ｋｇ／ｍ３の高密度のスポンジ材からなる高密度クッション部と、この高密度クッション部のマット長さ方向両側に配されかつ密度Ｂが３０±５ｋｇ／ｍ３の低密度のスポンジ材からなる低密度クッション部とから形成されるとともに、
前記高密度クッション部は、その下面でのマット長さ方向の長さＬａを、上面でのマット長さ方向の長さＬｂよりも大とした断面略三角形状又は断面略台形状をなすことを特徴としている。
【０００８】
又請求項２の考案では、前記高密度クッション部は、前記下面での長さＬａが６００ｍｍ±１００ｍｍであることを特徴としている。
【０００９】
又請求項３の考案では、前記密度Ａと密度Ｂとの差（Ａ−Ｂ）は、２０±５ｋｇ／ｍ３の範囲であることを特徴としている。
【００１０】
又請求項４の考案では、前記高密度クッション部は、前記上面での長さＬｂが０ｍｍの断面略三角形状をなすことを特徴としている。
【００１１】
又請求項５の考案では、前記マット本体は、前記就寝者の上半身側を受ける前のマット部と、前記就寝者の下半身側を受ける後もマット部とに２分割されるとともに、その分割面は前記高密度クッション部の長さ方向中心線上を通ることを特徴としている。
【考案の効果】
【００１２】
本考案は叙上の如く、マット本体を、マット長さ方向中央側に配される密度Ａが５０±５ｋｇ／ｍ３の高密度のスポンジ材からなる高密度クッション部と、そのマット長さ方向両側に配されかつ密度Ｂが３０±５ｋｇ／ｍ３の低密度のスポンジ材からなる低密度クッション部とから形成している。そのため、弾性が相対的に高い前記高密度クッション部によって重い臀部を支承でき、臀部の沈みこみを減じて就寝姿勢を改善することができる。又このものは、２種類のスポンジ材で形成するだけであるため、構造簡易であり、しかもスポンジ材のメリットである軽量、低コストを維持できる。
【００１３】
しかも前記高密度クッション部は、その下面での長さＬａを上面での長さＬｂよりも大とした断面略三角形状又は断面略台形状をなす。そのため高密度クッション部と低密度クッション部との間の弾性変化が滑らかとなって違和感を抑えることができ、寝心地の良い安眠が達成される。
【図面の簡単な説明】
【００１４】
【図１】本考案のベッド用マットの一実施例を用いたベッドを示す側面図である。
【図２】その分解斜視図である。
【図３】ベッドの折り畳み途中の状態を示す側面図である。
【図４】（Ａ）はマット本体を説明する断面図、（Ｂ）はマット本体をマットカバーによって被覆した状態を示す断面図である。
【図５】（Ａ）、（Ｂ）は高密度クッション部の断面形状を示す部分断面図である。
【図６】ベッド用マットの他の実施例を示す断面図である。
【図７】従来のスポンジ製のマットの問題点を示す側面図である。
【考案を実施するための形態】
【００１５】
以下、本考案の実施の形態について、詳細に説明する。図１は本考案のベッド用マット１が装着されたベッド２を示す側面図、図２はその分解斜視図であって、図１、２おいて前記ベッド用マット１は、ベッド２のマット載置面２Ｓ上に敷設されるマット本体３と、このマット本体３を被覆するマットカバー４とを具える。
【００１６】
なお前記ベッド２は、その骨格をなす平面略矩形状のフレーム枠５と、このフレーム枠５から下方にのびる脚部６とを具え、前記フレーム枠５の上面に、前記マット載置面２Ｓを形成している。
【００１７】
本例のベッド２は、収納容易な折り畳みベッドであって、前記フレーム枠５は、上半身側となる前のフレーム枠部５Ｆと、下半身側となる後のフレーム枠部５Ｒとに区分されるとともに、この前後のフレーム枠部５Ｆ、５Ｒは、周知構造のヒンジ手段７によって、例えば図３に示すように、山折り方向に折り畳み可能に連結される。なお本明細書では、就寝者の身長方向となるマット長さ方向において、上半身側を「前」、下半身側を「後」と呼ぶ。前記前のフレーム枠部５Ｆの前端部、及び後のフレーム枠部５Ｒの後端部には、ベッド用マット１の前後の位置ズレを防止する前後の位置ズレ防止片８Ｆ、８Ｒが上方に突設される。本例では、前記前の位置ズレ防止片８Ｆが、所謂宮板として形成される場合が示される。
【００１８】
又前記脚部６は、前記前のフレーム枠部５Ｆの前端下部に配される前の脚部６Ｆ、後のフレーム枠部５Ｒの後端下部に配される後の脚部６Ｒ、及び前後のフレーム枠部５Ｆ、５Ｒの一方に配される中間の脚部６Ｍからなり、このうち前後の脚部６Ｆ、６Ｒをキャスタ付きとすることにより、フレーム枠５を折り畳んだ状態、及び水平に展開した状態において、それぞれベッドを容易に移動させることが可能となる。
【００１９】
次に、ベッド用マット１は、前記マット載置面２Ｓ上に敷設されるマット本体３と、このマット本体３を被覆保護するマットカバー４とを具える。
【００２０】
前記マット本体３は、マット長さ方向の中央側に配される高密度クッション部１０と、この高密度クッション部１０のマット長さ方向両側に配される低密度クッション部１１とから形成される。前記高密度クッション部１０は、密度Ａが５０±５ｋｇ／ｍ３の高密度のスポンジ材からなり、又低密度クッション部１１は、密度Ｂが３０±５ｋｇ／ｍ３の低密度のスポンジ材から形成される。なお前記スポンジ材としては、ウレタンフォーム、発泡ポリエチレンなどが好適に採用される。
【００２１】
又前記高密度クッション部１０は、図５（Ａ）、（Ｂ）に示すように、その下面でのマット長さ方向の長さＬａを、上面でのマット長さ方向の長さＬｂよりも大とした断面略三角形状又は断面略台形状に形成される。なお前記断面略三角形状、及び断面略台形状には、前記高密度クッション部１０の斜辺Ｊが直線をなす以外に、同図に一点鎖線で示すように、前記斜辺Ｊが、曲率半径を大とした凸円弧状或いは凹円弧状の円弧曲線である場合も含まれる。又高密度クッション部１０と低密度クッション部１１とは、接着によって互いに一体に接合される。
【００２２】
このように構成されたマット本体３は、弾性が高い前記高密度クッション部１０によって重い臀部を支承でき、臀部の沈みこみを減じて就寝姿勢を改善することができる。又このものは２種類のスポンジ材で形成するだけであるため、構造が簡易であり、しかもスポンジ材のメリットである軽量、低コストを維持できる。又前記高密度クッション部１０を断面略三角形状又は断面略台形状としたため、高密度クッション部１０と低密度クッション部１１との間の弾性変化が滑らかとなり、使用者への違和感を低く抑えることができ、寝心地の良い安眠を可能とする。
【００２３】
このとき高密度クッション部１０の下面での前記長さＬａは、６００ｍｍ±１００ｍｍの範囲が好ましく、前記長さＬａが５００ｍｍを下回ると高弾性領域が局部的となって臀部の沈み込みを広範囲に亘ってバランスよく抑えることができなくなる。又長さＬａが７００ｍｍを上回ると、不必要な部分で高弾性となってしまい、体圧が不均一となって寝心地に悪影響を与える。
【００２４】
又高密度クッション部１０における密度Ａ、及び低密度クッション部１１における密度Ｂがそれぞれ前記範囲を下回ると、弾性不足となって体の沈みこみが大きくなりすぎ、逆に前記範囲を上回ると、クッション性が不足しかつ体圧が不均一となるなど、何れの場合も、寝心地に悪影響を与える。又前記密度Ａと密度Ｂとの差（Ａ−Ｂ）は、２０±５ｋｇ／ｍ３の範囲が好ましく、この範囲を下回ると臀部の沈みこみ抑制が不充分となり、又前記範囲を上回ると、弾性差が過大となって違和感を招く。
【００２５】
又前記高密度クッション部１０では、前記上面での長さＬｂがより小さいことが、突き上げ感を抑えうるなどクッション性の観点から好ましく、そのために前記長さＬｂは、１００ｍｍ以下、さらには５０ｍｍ以下、さらには１０ｍｍ以下が好ましく、又０ｍｍとするのがより望ましい。なおマット本体３の厚さＴは、特に規制されることはなく、従来と同様の範囲、例えば３０〜１５０ｍｍ、さらには５０〜１００ｍｍが好適に採用されうる。
【００２６】
又本例のマット本体３は、折り畳みベッドに使用されるため、就寝者の上半身側を受ける前のマット部３Ｆと、就寝者の下半身側を受ける後のマット部３Ｒとに２分割されており、又その分割面Ｄは前記高密度クッション部１０の長さ方向中心線Ｘ上を通っている。このようにマット本体３を前後に２分割した場合には、この分割部分の弾性が相対的に減じるため、最も弾性が高い前記中心線Ｘ上で分割することにより、その悪影響を最も低く抑えることができる。
【００２７】
又前記マットカバー４は、前記図２、４（Ｂ）に示すように、本例では、前記前のマット部３Ｆを被覆する袋状の前のカバー部４Ｆと、前記後のマット部３Ｒを被覆する袋状の後のカバー部４Ｒと、この前後のカバー部４Ｆ、４Ｒを継ぐ継ぎ布部４Ｍとから形成される。そして前記継ぎ布部４Ｍによってマット１は、フレーム枠５に追従して自在に折り畳むことができる。前記カバー部４Ｆ、４Ｒは、本例では、マット部３Ｆ、３Ｒの下面を覆う下シート材１２ａと、上面を覆う上シート材１２ｂと、外周面を覆う側シート材１２ｃとからなり、このうち上シート材１２ｂと側シート材１２ｃは、内側にポリエステル綿やスポンジ等のクッション材を一体に縫着して厚みを持たせた所謂キルティング布が好適に用いられる。なお各マット部３Ｆ、３Ｒは、カバー部４Ｆ、４Ｒに形成されかつ例えばファスナによって開閉自在な開閉口（図示しない。）から出し入れすることができる。
【００２８】
前記マット本体３としては、例えば前記前のマット部３Ｆを、前記低密度クッション部１１においてマット長さ方向にさらに分割させることができ、このとき各分割部をマットカバー４の各カバー部によって被覆することが好ましい。又マット本体３では、マット部３Ｆ、３Ｒなどに分割することなく一体物として形成することができ、係る場合には、前記マットカバー４は一つの袋状体として形成される。
【００２９】
又、ベッド用マット１では、ベッド２の前記フレーム枠５上に、例えば発泡スチロールなどからなる軽量の下地材１５を介して敷設することができる。この場合、前記下地材１５の上面がマット載置面Ｓとして形成される。かかる場合、例えば図６に示すように、前のマット部３Ｆと前記下地材１５と前のフレーム枠部５Ｆとを、ともに前のカバー部４Ｆによって被覆するとともに、前記後のマット部３Ｒと前記下地材１５と後のフレーム枠部５Ｒとを、ともに後のカバー部４Ｒによって被覆しても良い。この時にはマットカバー４によってマット本体３がフレーム枠５に固定されるため、ベッド２を折り畳んで収納する際にマット本体３が位置ズレするのを防止しうるため、好ましく採用できる。
【００３０】
以上、本考案の特に好ましい実施形態について詳述したが、本考案は図示の実施形態に限定されることなく、種々の態様に変形して実施しうる。
【符号の説明】
【００３１】
２     ベッド
Ｓ     マット載置面
３     マット本体
３Ｆ   前のマット部
３Ｒ   後のマット部
４     マットカバー
１０   高密度クッション部
１１   低密度クッション部
Ｄ     分割面
【図１】
0003169589.tif 000003
【図２】
0003169589.tif 000004
【図３】
0003169589.tif 000005
【図４】
0003169589.tif 000006
【図５】
0003169589.tif 000007
【図６】
0003169589.tif 000008
【図７】
0003169589.tif 000009